(57)【要約】【課題】  単位グレイ・レベルの限度を超えた明るさを修正し、ディスプレイ装置のディスプレイ・グレイ・レベルを高める。【解決手段】  本発明は、ディスプレイ・グレイ・レベルを高めるための装置を開示する。該装置は、信号変換回路、誤差拡散回路、及び演算回路を含む。第１の所定の態様によれば、信号変換回路は、一組の画像信号を一組の変換された信号に変換する。誤差拡散回路は、一組の変換された信号を受信し、判断ルールに従って一組の拡散された信号を発生する。演算回路は、一組の拡散された信号を受信し、第２の所定の態様及び所定の演算ルールに従って一組の出力画像信号を発生する。【選択図】  図２
2005321773.tif 000002
【特許請求の範囲】
【請求項１】
ディスプレイ・グレイ・レベルを高めるための装置であって、
第１の所定の態様に従って一組の画像信号を一組の変換された信号に変換するための信号変換回路と、
一組の変換された信号を受信し、判断ルールに従って一組の拡散された信号を発生するための誤差拡散信号と、
一組の拡散された信号を受信し、第２の所定の態様及び所定の演算ルールに従って一組の出力画像信号発生するための演算回路と、
を備えた装置。
【請求項２】
第１の所定の態様は、一組の画像信号を一組の変換された信号に変換するためにガンマ・ルック・アップ・テーブルを用いることであり、画像信号の各々はＬビットを有し、変換された信号の各々はＭビットを有し、Ｍ＞Ｌである請求項１に記載の装置。
【請求項３】
判断ルールは、一組の拡散された信号を発生するように、変換された信号の各々のＮの高ビット及び残りの（Ｍ−Ｎ）の低ビットに対して誤差拡散計算を行い、拡散された信号の各々はＮビットを有する請求項２に記載の装置。
【請求項４】
演算回路は、第２の所定の態様に従って、一組の拡散された信号を一組の一時信号に変換し、そして所定の演算ルール及び一組の一時信号に従って、一組の出力画像信号を発生する請求項３に記載の装置。
【請求項５】
第２の所定の態様は、一組の拡散された信号を一組の一時信号に変換するために第１のルック・アップ・テーブルを用いることであり、一時信号の各々はＫビットを有し、Ｎ＞Ｋである請求項４に記載の装置。
【請求項６】
所定の演算ルールは、一組の出力画像信号を発生するよう、一組のマスクで一組の一時信号を計算し、出力画像信号の各々はＫビットを有する請求項５に記載に装置。
【請求項７】
マスクの各々は、ＰＱ＊Ｑ行列を含み、Ｑは２以上である請求項６に記載の装置。
【請求項８】
マスクの第１のマスクは、４つの４＊４行列を含み、１は、４つの４＊４行列のうちの３つにおけるｉ番目の行及びｊ番目の列に対応する素子であり、０は、４つの４＊４行列のうちの残りにおけるｉ番目の行及びｊ番目の列に対応する素子であり、１≦ｉ≦４；１≦ｊ≦４である請求項７に記載の装置。
【請求項９】
マスクの第２のマスクは、４つの４＊４行列を含み、１は、４つの４＊４行列のうちの２つにおけるｉ番目の行及びｊ番目の列に対応する素子であり、０は、４つの４＊４行列のうちの残りにおけるｉ番目の行及びｊ番目の列に対応する素子であり、１≦ｉ≦４；１≦ｊ≦４である請求項７に記載の装置。
【請求項１０】
マスクの第３のマスクは、４つの４＊４行列を含み、１は、４つの４＊４行列のうちの１つにおけるｉ番目の行及びｊ番目の列に対応する素子であり、０は、４つの４＊４行列のうちの残りにおけるｉ番目の行及びｊ番目の列に対応する素子であり、１≦ｉ≦４；１≦ｊ≦４である請求項７に記載の装置。
【請求項１１】
ディスプレイ・グレイ・レベルを高めるための方法であって、
（ａ）第１の所定の態様に従って一組の画像信号を一組の変換された信号に変換する段階と、
（ｂ）一組の変換された信号及び判断ルールに従って一組の拡散された信号を発生する段階と、
（ｃ）一組の拡散された信号、第２の所定の態様、及び所定の演算ルールに従って一組の出力画像信号を発生する段階と、
を含む方法。
【請求項１２】
第１の所定の態様は、一組の画像信号を一組の変換された信号に変換するためにガンマ・ルック・アップ・テーブルを用いることであり、画像信号の各々はＬビットを有し、変換された信号の各々はＭビットを有し、Ｍ＞Ｌである請求項１１に記載の方法。
【請求項１３】
判断ルールは、一組の拡散された信号を発生するように、変換された信号の各々のＮの高ビット及び残りの（Ｍ−Ｎ）の低ビットに対して誤差拡散計算を行い、拡散された信号の各々はＮビットを有する請求項１２に記載の方法。
【請求項１４】
段階（ｃ）は、
（ｃ１）第２の所定の態様に従って一組の拡散された信号を一組の一時信号に変換する段階と、
（ｃ２）所定の演算ルール及び一組の一時信号に従って一組の出力画像信号を発生する段階と、
を含む請求項１３に記載の方法。
【請求項１５】
第２の所定の態様は、一組の拡散された信号を一組の一時信号に変換するために第１のルック・アップ・テーブルを用いることであり、一時信号の各々はＫビットを有し、Ｎ＞Ｋである請求項１４に記載の方法。
【請求項１６】
所定の演算ルールは、一組の出力画像信号を発生するよう、一組のマスクで一組の一時信号を計算し、出力画像信号の各々はＫビットを有する請求項１５に記載に方法。
【請求項１７】
マスクの各々は、ＰＱ＊Ｑ行列を含み、Ｑは２以上である請求項１６に記載の方法。
【請求項１８】
マスクの第１のマスクは、４つの４＊４行列を含み、１は、４つの４＊４行列のうちの３つにおけるｉ番目の行及びｊ番目の列に対応する素子であり、０は、４つの４＊４行列のうちの残りにおけるｉ番目の行及びｊ番目の列に対応する素子であり、１≦ｉ≦４；１≦ｊ≦４である請求項１７に記載の方法。
【請求項１９】
マスクの第２のマスクは、４つの４＊４行列を含み、１は、４つの４＊４行列のうちの２つにおけるｉ番目の行及びｊ番目の列に対応する素子であり、０は、４つの４＊４行列のうちの残りにおけるｉ番目の行及びｊ番目の列に対応する素子であり、１≦ｉ≦４；１≦ｊ≦４である請求項１７に記載の方法。
【請求項２０】
マスクの第３のマスクは、４つの４＊４行列を含み、１は、４つの４＊４行列のうちの１つにおけるｉ番目の行及びｊ番目の列に対応する素子であり、０は、４つの４＊４行列のうちの残りにおけるｉ番目の行及びｊ番目の列に対応する素子であり、１≦ｉ≦４；１≦ｊ≦４である請求項１７に記載の方法。
【発明の詳細な説明】
【技術分野】
【０００１】
本発明は、ディスプレイ・グレイ・レベルを高めるためにディスプレイ装置において適用される装置及び方法に関するものである。
【背景技術】
【０００２】
プラズマ・ディスプレイ・パネル（ＰＤＰ）モジュールのような従来のフラット・ディスプレイ装置は、常に、８ビットにより０〜２５５グレイ・レベルを有する画像を表示する。換言すれば、該画像は、２５６のグレイ・レベルでもって表示される。
【０００３】
図１を参照すると、図１は、従来のＰＤＰモジュールのグレイ・レベルと明るさとの関係を示す概略図である。図１に示されるように、従来のＰＤＰのグレイ・レベルと明るさとの間の関係は実質的に線形である。例えば、モジュールの明るさが５１２ｃｄ／ｍ２である場合、もう１つに隣接する各グレイ・レベルの明るさ勾配は、２ｃｄ／ｍ２である。換言すれば、グレイ・レベル“１”の明るさは、２ｃｄ／ｍ２である。モジュールの明るさが１０２４ｃｄ／ｍ２まで高められるとき、グレイ・レベル“１”の明るさも４ｃｄ／ｍ２に高められる。しかしながら、画像コントラストは、単位グレイ・レベルの明るさが、限度を超えた値を有すると、影響を受けるであろう。
【０００４】
現在、ＰＤＰモジュールの明るさは、徐々により高くなってきており、単位グレイ・レベルの限度を超えた明るさによって引き起こされる影響は、一層深刻になってきている。従って、従来のＰＤＰモジュールが明るさを２５６レベルに分割するので、それは未来の応用を満足しないであろう。
【０００５】
ＰＤＰモジュールのグレイ・レベルと明るさとの間の関係が実質的に線形であるので、ユーザが映画を見るためにＰＤＰモジュールを用いるとき、２．２のガンマ調整変換（ｇａｍｍａ  ａｄｊｕｓｔ  ｔｒａｎｓｆｏｒｍａｔｉｏｎ  ｏｆ  ２．２）を介して画像信号を修正することが必要であり、それにより映画は、正しいコントラストと色で上演され得る。一般に、映画の各画像信号は８ビットを有し、そしてＰＤＰモジュールに入力される信号も８ビットを有する。画像信号が、２．２のガンマ調整変換により変換され、次に、８ビットでＰＤＰモジュールに入力されるとき、低グレイ・レベルの細部（もしくは詳細、ｄｅｔａｉｌｓ）のほとんどは、２．２のガンマ調整変換に起因して消失するであろう。例えば、画像のグレイ・レベルが０〜４２の範囲に渡って最初に分布される場合、画像のグレイ・レベルは、２．２のガンマ調整変換が画像に対して行なわれた後、０〜４の範囲に渡って分布されるであろう。
【０００６】
従来の誤差拡散計算は、一般に、低グレイ・レベルの細部の損失を減少させるために用いられるが、それは、単位グレイ・レベルの明るさが、限度を超えた値を有するという問題を解決することができない。
【０００７】
単位グレイ・レベルの明るさが、一度、限度を超えた値を有すると、以下の問題が生じるであろう。１）フレームが低い明るさで表示されるとき、ユーザが見るためには解像度は一層悪くなる。２）従来の誤差拡散計算が低グレイ・レベルの細部を修正するために用いられるとき、単位グレイ・レベルの限度を超えた値に起因して、フレームは不安定に表示されるであろう。
【０００８】
従って、本発明の目的は、単位グレイ・レベルの限度を超えた明るさを修正すること、並びにディスプレイ装置のディスプレイ・グレイ・レベルを高めることである。
【発明の開示】
【発明が解決しようとする課題】
【０００９】
本発明の目的は、単位グレイ・レベルの限度を超えた明るさを修正し、かつディスプレイ装置のディスプレイ・グレイ・レベルを高めるための装置を提供することである。
【課題を解決するための手段】
【００１０】
本発明によれば、ディスプレイ・グレイ・レベルを高めるための装置は、信号変換回路、誤差拡散回路、及び演算（もしくは操作）回路を含む。第１の所定の態様によれば、信号変換回路は、一組の画像信号を一組の変換された信号に変換するために用いられる。誤差拡散回路は、一組の変換された信号を受信し、判断ルールに従って一組の拡散された信号を発生するために用いられる。演算回路は、一組の拡散された信号を受信し、第２の所定の態様及び所定の演算ルールに従って一組の出力画像信号を発生するために用いられる。
【００１１】
誤差拡散回路及び演算回路に基づいて、本発明の装置は、単位グレイ・レベルの限度を超えた明るさを修正して、画像品質を高めることができ、それにより、ディスプレイ・グレイ・レベルを高めるという目的を達成することができる。従って、画像は、高い解像度で表示される。
本発明の長所及び精神は、添付図面と共に為される以下の説明により理解され得る。
【発明を実施するための最良の形態】
【００１２】
図２を参照すると、図２は、本発明によるディスプレイ・グレイ・レベルを高めるための装置１０を示す機能ブロック図である。装置１０は、信号変換回路１２と、誤差拡散回路１４と、演算回路（もしくは操作回路）１６とを含む。
【００１３】
第１の所定の態様によれば、信号変換回路１２は、一組の画像信号２０を一組の変換された信号２２に変換するために用いられる。誤差拡散回路１４は、一組の変換された信号２２を受信するために、そして判断ルールに従って一組の拡散された信号２４を発生するために用いられる。演算回路１６は、一組の拡散された信号２４を受信するために、そして第２の所定の態様及び所定の演算ルールに従って一組の出力画像信号２６を発生するために用いられる。
【００１４】
図３を参照すると、図３は、図２に示された装置１０のガンマ・ルック・アップ・テーブル（ｇａｍｍａ  ｌｏｏｋ  ｕｐ  ｔａｂｌｅ）４１を示す概略図である。以下、第１の所定の態様を詳細に説明する。第１の所定の態様は、ガンマ・ルック・アップ・テーブルを用いて、一組の画像信号２０を一組の変換された信号２２に変換するためにあり、ここに、画像信号２０の各々はＬビットを有し、変換された信号２２の各々はＭビットを有し、Ｍ＞Ｌである。一組の８ビット画像信号２０は、２．２のガンマ調整変換を用いてガンマ・ルック・アップ・テーブルにより一組の１２ビット変換された信号２２に変換され、ここに、１２ビットの高ビット、すなわち８ビットは、整数部分を表し、１２ビットの低ビット、すなわち４ビットは、少数部分を表す。
【００１５】
一実施形態において、ガンマ・ルック・アップ・テーブル４１が図３に示されている。一組の８ビット画像信号２０は、２．２のガンマ調整変換を用いてガンマ・ルック・アップ・テーブル４１により一組の１２ビット変換された信号２２に変換され、ここに、１２ビットの高ビット、すなわち８ビットは、整数部分を表し、１２ビットの低ビット、すなわち４ビットは、少数部分を表す。図３に示すように、列４２は、入力された８ビット画像信号のグレイ・レベルを示し、列４４は、２．２のガンマ調整変換が行なわれた後の変換された信号のグレイ・レベルを示し、そして列４６は、８ビットディスプレイ装置によって表示され得る８ビット画像信号のグレイ・レベルを示す。従って、各８ビット画像信号のグレイ・レベルの整数部分は、列４６に示され、そして４ビットの残りは、２．２のガンマ調整変換が行なわれた後の少数部分を表す（図示せず）。ガンマ・ルック・アップ・テーブル４１は、一組の８ビット画像信号を一組の１２ビット変換される信号に変換するために用いられ得る。
【００１６】
以下に、判断ルールを詳細に説明する。判断ルールは、一組の拡散された信号２４を発生するように、変換された信号の各々のＮの高ビット及び残りの（Ｍ−Ｎ）の低ビットのための誤差拡散計算を行い、拡散された信号２４の各々は、Ｎビットを有する。
【００１７】
一実施形態において、一組の変換された信号２２は、一組の１２ビット信号である。誤差拡散回路１４は、変換された信号の各々の１０の高ビット及び２の低ビットのための誤差拡散計算を行なうために、判断ルールを用いる。従って、誤差拡散回路１４は、一組の１０ビットの拡散された信号２４を発生するであろう。
【００１８】
以下に、第２の所定の態様及び所定の演算ルールの双方を詳細に説明する。演算回路１６は、一組の拡散された信号２４を一組の一時信号２５に変換するために、第２の所定の態様を用い、そして所定の演算ルール及び一組の一時信号２５に従って、一組の出力画像信号２６を発生する。
【００１９】
第２の所定の態様は、一組の拡散された信号２４を一組の一時信号２５に変換するために、第１のルック・アップ・テーブルを用いることである。一時信号２５の各々は、Ｋビットを有し、Ｎ＞Ｋである。
【００２０】
所定の演算（動作）ルールは、一組の出力画像信号２６を発生するために、一組のマスクで一組の一時信号２５を計算し、出力画像信号２６の各々は、Ｋビットを有する。
【００２１】
マスクの各々は、ＰＱ＊Ｑ行列を含み、ここに、Ｑは２以上である。一実施形態において、一組のマスクは、第１のマスク、第２のマスク、及び第３のマスクを含み、Ｐ及びＱはそれぞれ４を表す。換言すれば、各マスクは、４つの４＊４行列を含む。第１のマスクは、４つの４＊４行列を含み、ここに、１は、４つの４＊４行列のうちの３つにおけるｉ番目の行及びｊ番目の列に対応する素子であり、０は、４つの４＊４行列のうちの残りのものにおけるｉ番目の行及びｊ番目の列に対応する素子であり、１≦ｉ≦４；１≦ｊ≦４である。第２のマスクは、４つの４＊４行列を含み、ここに、１は、４つの４＊４行列のうちの２つにおけるｉ番目の行及びｊ番目の列に対応する素子であり、０は、４つの４＊４行列のうちの残りのものにおけるｉ番目の行及びｊ番目の列に対応する素子であり、１≦ｉ≦４；１≦ｊ≦４である。第３のマスクは、４つの４＊４行列を含み、ここに、１は、４つの４＊４行列のうちの１つにおけるｉ番目の行及びｊ番目の列に対応する素子であり、０は、４つの４＊４行列のうちの残りのものにおけるｉ番目の行及びｊ番目の列に対応する素子であり、１≦ｉ≦４；１≦ｊ≦４である。
【００２２】
図４を参照すると、図４は、図１に示した装置１０の第１のルック・アップ・テーブル５１を示す概略図である。一実施形態において、第１のルック・アップ・テーブル５１は３つの列を含み、ここに、列５２は、拡散された信号のグレイ・レベルを示し、列５４は、一時信号のグレイ・レベルを示し、そして列５６は、対応の所定の演算ルールを示す。この実施形態において、拡散された信号の各々は１０ビットを有し、一時信号の各々は８ビットを有し、そして入力画像信号のそれぞれのグレイ・レベルの各々は、所定の演算ルールに対応する。図４に示されるように、グレイ・レベル１，５，９，．．．，１０１６，１０２０に対応する所定の演算ルールは、マスクＡであり、グレイ・レベル２，６，１０，．．．，１０１７，１０２１に対応する所定の演算ルールは、マスクＢであり、そしてグレイ・レベル３，７，１１，．．．，１０１８，１０２２に対応する所定の演算ルールは、マスクＣである。画像の明るさは、マスクＡを通して元の明るさの０．２５倍であり、画像の明るさは、マスクＢを通して元の明るさの０．５倍であり、そして画像の明るさは、マスクＣを通して元の明るさの０．７５倍である。従って、第１のルック・アップ・テーブル５１により、１０ビットの拡散された信号のグレイ・レベルは、８ビットの一時信号のグレイ・レベルに変換されることができ、そして対応の所定の演算ルールも得られ得る。
【００２３】
本発明によれば、ディスプレイ・グレイ・レベルを高めるための装置は、異なった時間の範囲（スパン）で変化することができる一組のマスクを有する。画像が、出力される前にマスクによって計算されるとき、明るさは、異なった時間の範囲（スパン）に基づく変数である。ＮＴＳＣのシステムにおいては、一秒につき６０の画像があり、ここに、１番目、５番目、９番目、１３番目、・・・、５７番目の画像は、フィールドＩに属し、２番目、６番目、１０番目、１４番目、・・・、５８番目の画像は、フィールドＩＩに属し、３番目、７番目、１１番目、１５番目、・・・、５９番目の画像は、フィールドＩＩＩに属し、そして４番目、８番目、１２番目、１６番目、・・・、６０番目の画像は、フィールドＩＶに属する。４つのフィールドＩ，ＩＩ，ＩＩＩ，及びＩＶは、それぞれ４つのマスクに対応し、そして各フィールドの画像は、それぞれ、対応のマスクによって計算される。
【００２４】
図５を参照すると、図５は、本発明の好適な実施形態による演算ルールを示す概略図である。この実施形態においては、４＊４行列の画像６０は、２＊２行列のマスク６２で計算されて、画像６４を発生する。この実施形態における計算は、減算計算である。別の実施形態においては、計算は、減算、加算、乗算、または他の数学的計算を含む計算であって良い。
【００２５】
図６Ａから図６Ｄを参照すると、図６Ａは、本発明の一実施形態による一組のマスクを示す概略図である。図６Ｂは、本発明による、対応の行列８０で計算された４＊４行列の画像７８を示す概略図である。図６Ｃは、図６Ａに示されるマスクで計算された後の、図６Ｂに示される画像の行列を示す概略図である。図６Ｄは、図６Ｃに示される４つのフィールドの各ドットの平均明るさを示す概略図である。
【００２６】
図６Ａに示されるように、４つの４＊４行列は、それぞれ、４つのフィールドのマスクを表す。行列７０、７２、７４、及び７６は、フィールドＩ，ＩＩ，ＩＩＩ，及びＩＶにそれぞれ対応する行列を表す。この実施形態は、単位グレイ・レベルの元の明るさの半分を減少することができる。
【００２７】
図６Ｂに示される４＊４行列（ドットＡ１〜ドットＡ１６）の画像７８として、各ドットは、行列８０のグレイ・レベルの１つに対応している。図６Ｂに示された画像７８が、図６Ａに示された行列７０、７２、７４、及び７６で計算された後、該計算結果は、図６Ｃに示された行列８２、８４、８６、及び８８のようである。
【００２８】
図６Ｄに示されるように、画像７８が４つのフィールドのマスクで計算された後、画像７８の明るさが行列９０に示される。画像７８がマスクで計算された後、画像７８のドットＡ１の明るさは、（０＋１＋０＋１）／４＝０．５であり、画像７８のドットＡ２の明るさは、（１＋２＋１＋２）／４＝１．５であり、以下同様である。４つのフィールドの４つまたは倍数の時間の範囲（スパン）の後に８ビットの画像が図６Ａに示されるマスクで計算されるとき、グレイ・レベル０．５、１．５、２．５、３．５、・・・、及び２５４．５の明るさが得られ得る。従って、単位グレイ・レベルの明るさは、元の明るさの半分に減少され得、そして２つの整数のグレイ・レベル間の明るさも発生され得る。
【００２９】
マスクの設計において、なお問題がある。画像が、大きい面積、高い明るさ、同じ色を有する大きい面積、または高いコントラストを有するとき、画像は、表示されている間に僅かにちらつく（フリッカリングする）であろう。以下は、表示されている間に画像が僅かにちらつく（フリッカリングする）であろう理由を説明する。図６Ａに示すように、マスクは、奇数及び偶数のインターレースされた計算を用い、そして周波数、３０Ｈｚ、は奇数の水平線に対して低すぎるであろう、すなわち、一秒ごとの画像の変化がゆっくりしすぎており、それ故、ユーザはフリッカを感ずるであろう。同じグレイ・レベルでの連続画像に発生するフリッカを避けるために、図６Ａに示されるマスクは、修正され得る。
【００３０】
図４及び図７Ａ〜図７Ｃを参照すると、図７Ａ〜図７Ｃは、本発明のもう１つの実施形態によるマスクをそれぞれ示す概略図である。画像の明るさは、図７Ａに示されたマスクを通して元の明るさの０．２５倍である。画像の明るさは、図７Ｂに示されたマスクを通して元の明るさの０．５倍である。画像の明るさは、図７Ｃに示されたマスクを通して元の明るさの０．７５倍である。図４において、マスクＡ、Ｂ、及びＣは、図７Ａ、図７Ｂ、及び図７Ｃに示されたマスクとしてそれぞれ設計され得る。
【００３１】
さらに、低周波数で同じ色に発生するフリッカを避けるために、赤、緑、及び青にそれぞれ対応するマスクが、１つのフィールドにおいて、異なった種類のマスクで設計され得る。
【００３２】
マスクを設計するためのルールがある。例えば、元の明るさの０．７５倍の画像の明るさを可能とすることができる４＊４行列のマスクを得るために、１は、４つの４＊４行列のうちの１つにおけるｉ番目の行及びｊ番目の列に対応する素子であるべきであり、そして０は、４つの４＊４行列のうちの残りのものにおけるｉ番目の行及びｊ番目の列に対応する素子であるべきである。元の明るさの０．５倍の画像の明るさを可能とすることができる４＊４行列のマスクを得るために、１は、４つの４＊４行列のうちの２つにおけるｉ番目の行及びｊ番目の列に対応する素子であるべきであり、そして０は、４つの４＊４行列のうちの残りのものにおけるｉ番目の行及びｊ番目の列に対応する素子であるべきである。元の明るさの０．２５倍の画像の明るさを可能とすることができる４＊４行列のマスクを得るために、１は、４つの４＊４行列のうちの３つにおけるｉ番目の行及びｊ番目の列に対応する素子であるべきであり、そして０は、４つの４＊４行列のうちの残りのものにおけるｉ番目の行及びｊ番目の列に対応する素子であるべきである。上述において、１≦ｉ≦４；１≦ｊ≦４である。
【００３３】
マスクは、２＊２行列、もしくは２＊２よりも大きい行列であって良い。しかしながら、２＊２行列の変動は小さく、それ故、画像におけるフリッカは発生し易い。従って、４＊４行列のマスクが好適な実施形態であり、より大きい行列も好適である。
【００３４】
図８を参照すると、図８は、本発明の好適な実施形態におけるディスプレイ・グレイ・レベルを高めるための方法を示すフローチャートである。スタートにおいて、第１の所定の態様によれば、ステップＳ８０は、一組の画像信号を一組の変換された信号に変換するために行なわれる。その後、ステップＳ８２が行なわれる。ステップＳ８２においては、一組の拡散された信号が、一組の変換された信号及び判断ルールに従って発生される。次に、ステップＳ８４が行なわれる。ステップＳ８４においては、一組の拡散された信号が、第２の所定に態様に従って一組の一時信号に変換される。次に、ステップＳ８６が行なわれる。ステップＳ８６においては、一組の出力画像信号が、所定の演算ルール及び一組の一時信号に従って発生される。
【００３５】
第１の所定の態様、第２の所定の態様、判断ルール、所定の演算ルールはすべて、対応の図面と一緒に上述の記載のように説明されており、関連の説明は行なわない。
【００３６】
図９Ａ及び図９Ｂを参照すると、図９Ａは、本発明の方法を行なった後に測定されたデータを示す。図９Ｂは、本発明の方法を行なわずに測定されたデータを示す。図９Ａを図９Ｂと比較すると、解像度は本発明の方法によって改善され得る。図９Ａに示されるように、ｇｒｅｙの列はグレイ・レベルを示し、そしてＹ−ｗｉｔｈの列は、本発明の方法を行なうことによって測定された各グレイ・レベルの明るさを示す。図９Ｂに示すように、Ｙ−ｗｉｔｈｏｕｔの列は、本発明の方法を行なわずに測定された各グレイ・レベルの明るさを示す。図９Ａ及び図９Ｂに示されたデータによれば、本発明の方法は、明らかに、ディスプレイ・グレイ・レベルを高めることができる。
【００３７】
図１０を参照すると、図１０は、本発明の方法による、グレイ・レベルと明るさとの間の関係を示す概略図である。図１０に示されるように、グレイ・レベルが０と６４との間の範囲に及ぶとき、曲線９０は、本発明の方法が行なわれた後のグレイ・レベルと明るさとの間の関係を示す。そして、曲線９２は、本発明の方法を行なわない場合のグレイ・レベルと明るさとの間の関係を示す。このことは、本発明の方法が行われた後、グレイ・レベルと明るさとの間の関係が一層線形であり、そしてディスプレイ装置は、画像を一層明瞭に表示することができるということを立証している。
【００３８】
本発明によれば、ディスプレイ・グレイ・レベルを高めるための装置及び方法は、ルック・アップ・テーブル及びマスクを用いて、ディスプレイ装置によって表示される単位グレイ・レベルの限度を超えた明るさを自動調整し、かつ表示された画像からノイズを除去する。従って、本発明の装置及び方法は、従来技術の問題を解決することができ、かつディスプレイ装置によって表示される画像の解像度を改善することができる。本発明の装置及び方法は、プラズマ・ディスプレイ・パネル（ＰＤＰ）、液晶ディスプレイ（ＬＣＤ）、等に適用することができる。
【００３９】
上述の例及び説明で、本発明の特徴及び精神が充分に説明されていることを望む。当業者は、本発明の教示を維持したままで、装置の多くの修正及び変更を行い得るということを容易に観察するであろう。従って、上述の開示は、特許請求の範囲の境界によってのみ制限されるものと解釈さるべきである。
【図面の簡単な説明】
【００４０】
【図１】従来のＰＤＰモジュールのグレイ・レベルと明るさとの間の関係を示す概略図である。
【図２】本発明によるディスプレイ・グレイ・レベルを高めるための装置を示す機能ブロック図である。
【図３】図２に示された装置のガンマ・ルック・アップ・テーブルを示す概略図である。
【図４】図２に示された装置の第１のルック・アップ・テーブルを示す概略図である。
【図５】本発明の好適な実施形態による動作（演算）ルールを示す概略図である。
【図６Ａ】本発明の一実施形態による一組のマスクを示す概略図である。
【図６Ｂ】本発明による対応の行列で計算された４＊４行列の画像を示す概略図である。
【図６Ｃ】図６Ａに示されたマスクで計算された後の図６Ｂに示された画像の行列を示す概略図である。
【図６Ｄ】図６Ｃに示された４つのフィールドの各ドットの平均明るさを示す概略図である。
【図７Ａ】本発明による元の０．２５倍の画像の明るさを可能とすることができるマスクを示す概略図である。
【図７Ｂ】本発明による元の明るさの０．５倍の画像の明るさを可能とすることができるマスクを示す概略図である。
【図７Ｃ】本発明による元の明るさの０．７５倍の画像の明るさを可能とすることができるマスクを示す概略図である。
【図８】本発明の好適な一実施例形態によるディスプレイ・グレイ・レベルを高めるための方法を示すフローチャートである。
【図９Ａ】本発明の方法を行った後に測定されたデータを示す図である。
【図９Ｂ】本発明の方法を行わずに測定されたデータを示す図である。
【図１０】本発明の方法によるグレイ・レベルと明るさとの間の関係を示す概略図である。
【符号の説明】
【００４１】
１０・・・ディスプレイ・グレイ・レベルを高めるための装置
１２・・・信号変換回路
１４・・・誤差拡散回路
１６・・・演算回路
【図１】
2005321773.tif 000003
【図２】
2005321773.tif 000004
【図３】
2005321773.tif 000005
【図４】
2005321773.tif 000006
【図５】
2005321773.tif 000007
【図６Ａ】
2005321773.tif 000008
【図６Ｂ】
2005321773.tif 000009
【図６Ｃ】
2005321773.tif 000010
【図６Ｄ】
2005321773.tif 000011
【図７Ａ】
2005321773.tif 000012
【図７Ｂ】
2005321773.tif 000013
【図７Ｃ】
2005321773.tif 000014
【図８】
2005321773.tif 000015
【図９Ａ】
2005321773.tif 000016
【図９Ｂ】
2005321773.tif 000017
【図１０】
2005321773.tif 000018